(57)【要約】【課題】吐水方向の変更を任意に行うことができ、しかも広範囲な面に吐水することが可能な吐水装置を提供する。【解決手段】蛇口１８にアダプター２を介して取り付けられる吐水装置を、アダプター２に係合される装着基部５と本体部６よりなる基体部と、その基体部に蛇口１８の吐水方向２０に直交する方向の回動軸２１を中心に回動可能及び位置決め可能に支持される回動ヘッド４とより構成した。【選択図】図３
2011111846.tif 000002
【特許請求の範囲】
【請求項１】
蛇口にアダプターを介して取り付けられる吐水装置において、前記アダプターに係合される基体部と、その基体部に前記蛇口の吐水方向に直交する方向の回動軸を中心に回動可能に、且つ回動された位置において位置決め可能に支持される回動ヘッドとよりなることを特徴とする吐水装置。
【請求項２】
前記基体部には、流路変更部が備えられ、その流路変更部に前記回動ヘッドの回動軸部が回動可能に継合されて、前記流路変更部内の流路と前記回動ヘッド内の流路とが連結されていることを特徴とする請求項１に記載の吐水装置。
【請求項３】
前記基体部には、位置決め部材が備えられ、その位置決め部材が前記回動軸部の端部に当接する位置に配置されていることを特徴とする請求項２に記載の吐水装置。
【請求項４】
前記回動軸部には環状の凹凸部が形成され、一方、前記位置決め部材として配置された弾性片の突起が前記凹凸部の凹部に入り込むことにより、前記回動ヘッドの回動位置が前記凹部のピッチに応じて位置決めされることを特徴とする請求項３に記載の吐水装置。
【請求項５】
前記基体部は、パッキンを介して前記蛇口に水密に装着される装着基部と、その装着基部に回動可能に支持される本体部とよりなることを特徴とする請求項１ないし４のうちいずれか一項に記載の吐水装置。
【発明の詳細な説明】
【技術分野】
【０００１】
本発明は、蛇口の先端に装着して使用する吐水装置に関し、特には吐水方向を任意に設定することが可能な吐水装置に関する。
【背景技術】
【０００２】
従来、洗面台や台所の流し等でも用いられるシャワーヘッド等を有する吐水装置は、一定方向のみに吐水するだけでなく、吐水方向を変えられるものが種々用いられている。
特許文献１のシャワーヘッドの保持構造では、シャワーヘッド端部が、取付け基台の係止部とシャワーヘッドの被係止部との相互の係合により、取付け基台に対して着脱自在に挿着されている。そして、この係合部において、取付け基台に対するシャワーヘッドの首振り回動位置が位置決めされる。また、シャワーヘッドの首振り回動のための回転部が設けられ、取付け基台にシャワーヘッドを挿着したまま、シャワーヘッドを回転できるようになっている。
【０００３】
特許文献２のシャワーヘッドにおいては、シャワーヘッドの挿入軸の外周に回動規制突起及び抜止溝が形成され、その挿入軸が挿入される吐水管には、嵌め込みリングが差込固定される挿着溝孔が形成されている。挿入軸が吐水管に挿入された時、抜止溝の外周に嵌め込みリングが嵌合されて、シャワーヘッドが吐水管から脱落しないようになっている。そして、この嵌め込みリングの内周に形成された扇状凹部の両端側の当接面の何れかに回動規制突起が当接して、挿入軸の回動角度範囲が規制されるようになっている。
【０００４】
特許文献３の手持ち式シャワーは、シャワーヘッドが握りの接続面において、その接続面に直交する方向の回転軸線を中心に回動可能に取り付けられている。また、複数の噴水ノズルを有するシャワーヘッド底部が回転軸線に対して所定の角度で備えられている。
【０００５】
特許文献４の吐水装置においては、吐水軌跡を変化させながら広範囲な面状にシャワー状の吐水流を吐水するために、ヘッドは、ヘッドの筒体が保持されるガイド部材の中心軸に対して傾きながら首振り公転すると共に、自身の中心軸のまわりに自転するようになっている。また、ガイド部材は、球体状に形成された外周部を、保持部材内の二ヶ所においてＯリングで保持されており、中心軸の方向を変化させることが可能となっている。
【先行技術文献】
【特許文献】
【０００６】
【特許文献１】特開平６−１４６３５７号公報
【特許文献２】特開平８−２７５８９８号公報
【特許文献３】特開２００２−２１９０６８号公報
【特許文献４】特開２００９−１０６７３２号公報
【発明の概要】
【発明が解決しようとする課題】
【０００７】
一般に、吐水装置は、浴室等の壁面の中央部や流しの中央部に設置されることが多い。しかし、吐水装置の設置場所が限定されなければ、特に流し等では角部に吐水装置を設け、流しを広く使うことが可能となる。このため、吐水可能域が直線状或いは湾曲状の帯状ではなく広い面状となるように、吐水方向を調節できることが求められている。
【０００８】
ところが、特許文献１のシャワーヘッドによる吐水可能域は、シャワーヘッドの回転により得られる帯状であり、取付け基台に向かう前後方向に吐水方向を変えられない問題がある。特許文献２のシャワーヘッドは、吐水管に対する挿着状態を外せば、自由に吐水方向を変えられるが、この時、シャワーヘッドを片手で保持しなければならず、両手が使えないという問題がある。
【０００９】
また、特許文献３のシャワーヘッドは、回転軸線回りにおける３６０度の回動が可能であるが、噴水ノズル方向が回転軸線に対して所定角度で固定されているため、吐水可能域は環状面となり、回転軸線方向に吐水することができない。また、その環状面の半径を変更することができない。そして、特許文献４の吐水装置においては、球体状のガイド部材がＯリングで保持されているので、吐水可能域を面状とすることができるが、吐水方向の変更範囲が限定されている。
【００１０】
本発明は、このような問題に着目してなされたものであり、その目的とするところは、吐水方向の変更を任意に行うことができ、しかも広範囲な面に吐水することが可能な吐水装置を提供することにある。
【課題を解決するための手段】
【００１１】
上記問題を解決するために請求項１に記載の吐水装置の発明は、蛇口にアダプターを介して取り付けられる吐水装置において、前記アダプターに係合される基体部と、その基体部に前記蛇口の吐水方向に直交する方向の回動軸を中心に回動可能に、且つ回動された位置において位置決め可能に支持される回動ヘッドとよりなることを特徴とするものである。
【００１２】
上記構成によれば、回動ヘッドが、蛇口の吐水方向に直交する方向の回動軸を中心に回動可能に基体部に支持されているので、回動ヘッドを回動させて吐水方向を変えることにより、吐水可能域を広範な帯状面とすることができる。また、基体部又は基体部の一部を回動させるようにした場合、吐水可能な帯状面を回転させて、吐水可能域を帯状から円形状へと拡大することができる。
【００１３】
請求項２に記載の発明は、請求項１に記載の吐水装置において、前記基体部には、流路変更部が備えられ、その流路変更部に前記回動ヘッドの回動軸部が回動可能に継合されて、前記流路変更部内の流路と前記回動ヘッド内の流路とが連結されていることを特徴とするものである。
【００１４】
請求項３に記載の発明は、請求項２に記載の吐水装置において、前記基体部には、位置決め部材が備えられ、その位置決め部材が前記回動軸部の端部に当接する位置に配置されていることを特徴とするものである。
【００１５】
請求項４に記載の発明は、請求項３に記載の吐水装置において、前記回動軸部には環状の凹凸部が形成され、一方、前記位置決め部材として配置された弾性片の突起が前記凹凸部の凹部に入り込むことにより、前記回動ヘッドの回動位置が前記凹部のピッチに応じて位置決めされることを特徴とするものである。
【００１６】
請求項５に記載の発明は、請求項１ないし４のうちいずれか一項に記載の吐水装置において、前記基体部は、パッキンを介して前記蛇口に水密に装着される装着基部と、その装着基部に回動可能に支持される本体部とよりなることを特徴とするものである。
【発明の効果】
【００１７】
本発明によれば、吐水可能域を円形状とすることができる。このため、台所の流し等の角部に設置しても、流し全体を吐水可能域とすることが可能な吐水装置を提供することができる。
【図面の簡単な説明】
【００１８】
【図１】第１実施形態の吐水装置の正面図。
【図２】第１実施形態の吐水装置の右側面図。
【図３】図２におけるＡ−Ａ矢視の一部断面図。
【図４】第１実施形態の吐水装置の分解斜視図。
【図５】第１半体を示し、（ａ）は正面図、（ｂ）は（ａ）のＢ−Ｂ矢視断面図、（ｃ）は（ａ）のＣ−Ｃ矢視断面図。
【図６】第２半体を示し、（ａ）は正面図、（ｂ）は（ａ）のＤ−Ｄ矢視断面図、（ｃ）は（ａ）のＥ−Ｅ矢視断面図。
【図７】（ａ）は正面図、（ｂ）は右側面図、（ｃ）は（ａ）のＦ−Ｆ矢視断面図。
【図８】（ａ）は正面図、（ｂ）は（ａ）のＧ−Ｇ矢視断面図、（ｃ）は（ｂ）のＨ矢視図。
【図９】（ａ）は正面図、（ｂ）は平面図、（ｃ）は（ｂ）のＩ−Ｉ矢視断面図。
【図１０】第２実施形態の吐水装置の正面図。
【発明を実施するための形態】
【００１９】
（第１の実施形態）
以下、本発明を具体化した第１実施形態を図１〜図９を用いて説明する。なお、各部材は、汎用プラスチック又はエンジニアリングプラスチックの成形品である。
【００２０】
図１及び図２に示すように、吐水装置１は、アダプター２と、アダプター２に螺合する基体部３と、基体部３に回動自在に保持される回動ヘッド４とより構成される。アダプター２は、Ｃ形リング１４とロックダイアル１５とよりなり、基体部３以下を蛇口等に固定するために用いられる。基体部３は、装着基部５と、装着基部５に回動可能に係合される本体部６とよりなる。本体部６は、第１半体７及び第２半体８が図示しないねじを用いて一体化されたものである。回動ヘッド４は、本体部６に回動自在に保持されるヘッド保持部９と、そのヘッド保持部９に螺合して保持される吐水ヘッド１０とよりなる。レバー１０ａは、シャワー吐水とストレート吐水とを切り換えるためのもので、レバー１０ａを操作することにより、シャワー吐水口１０ｂ又はストレート吐水口１０ｃからそれぞれの吐水が行われる。
【００２１】
図３及び図４を用いて、蛇口１８に取り付けられた吐水装置１のアダプター２及び基体部３の構成を説明する。装着基部５がロックダイアル１５に螺合された時、蛇口１８にパッキン１６が押圧され、吐水装置１全体は、蛇口１８に対して水密に掛合されている。
【００２２】
本体部６は、第１半体７と第２半体８とが一体化されると同時に、それぞれの突条部３７、４７が装着基部５の環状凹部２２に嵌合されて、装着基部５に回動自在に係合されている。また、第１半体７と第２半体８との間には、流路変更部１１が挟持され、その流路変更部１１と第２半体８とに対してヘッド保持部９の回動軸部６１が回動自在に支持されている。
【００２３】
流路変更部１１の上端部７２は装着基部５の凹部にＯリングを介して回動自在に内嵌され、流路変更部１１の下端部７３には、回動軸部６１の凹部６３がＯリングを介して回動自在に外嵌している。回動軸部６１の軸部６４は、第２半体８の六角ボス４８の軸受部４６に内嵌している。この配置により、回動軸部６１は、蛇口１８の吐水方向２０に直交する方向の回動軸２１を中心に回動可能となっている。また、軸部６４がある側の回動軸部６１の端部には、位置決め部材としての弾性片１３が配置され、突起５３が後述する凹凸部６５（図８参照）の凹部に入り込んでいる。弾性片１３は第２半体８の六角ボス４８に回動不能に外嵌されている。
【００２４】
このような装着基部５と、流路変更部１１と、回動軸部６１との継合により、流量調整弁１７を介した蛇口１８と、流路１９ａと、流路１９ｂとが連結される。栓体１２により、流路変更部１１の成形において流路１９ａに形成された開口部が閉じられている。
【００２５】
更に、各部材の詳細を説明する。
第１半体７は、図５に示すように、円錐台側面形状をなし上縁に半円状の突条部３７が形成された側面部３１と、２ヶ所の斜壁部３３と、底面部３２とより外殻部が形成されている。側面部３１の内側の２ヶ所に設けられたボス３５には、ねじ挿通用の孔３４が形成されている。軸受部３６は、流路変更部１１の軸部７４が嵌合されるための穴である。
【００２６】
第２半体８は、図６に示すように、円錐台側面形状をなし上縁に半円状の突条部４７が形成された側面部４１と、２ヶ所の斜壁部４３と、底面部４２とより外殻部が形成されている。側面部４１の内側の２ヶ所に設けられたボス４５には、タッピングねじが螺合される螺合穴４４が形成されている。また、六角形状の突条部４７が設けられ、外側には弾性片１３の六角孔部５５（図７参照）が外嵌され、軸受部４６にはヘッド保持部９の軸部６４（図８参照）が内嵌されるようになっている。
【００２７】
弾性片１３は、図７に示すように、円板部５１と筒状部５２とよりなり、円板部５１の２ヶ所には突起５３が形成されている。この突起５３の内側には、円弧状のスリット５４が形成され、突起５３がスリット５４の外側部分で弾性的に支持されるようになっている。
【００２８】
ヘッド保持部９は、図８に示すように、円筒状の回動軸部６１と、下部が開口し雌螺子６６が形成された円盤状の保持部６２とより構成されている。凹部６３と軸部６４とは同一芯に配置されている。回動軸部６１の軸部６４と同じ側の端面には凹凸部６５が形成されている。
【００２９】
なお、弾性片１３の円板部５１の２ヶ所に突起５３を形成する替わりに、円板部５１に凹凸部６５と同一ピッチの凹凸部を形成するようにしてもよい。また、位置決め部材として、ゴム状の合成樹脂により円板状体（図示せず）を形成し、円板状体の突起又は凹凸部が形成されない平面を、凹凸部６５が形成されない回動軸部６１の端部に押圧するようにしてもよい。
【００３０】
流路変更部１１は、図９に示すように、両端に上端部７２及び下端部７３を有する逆Ｌ字形の管状体であり、軸部７４と下端部７３とは同一芯に配置されている。座面部７５には栓体１２のフランジ部が嵌合される。
【００３１】
次に、吐水装置１の作用について説明する。
図２に示すように、本実施形態の吐水装置１の回動ヘッド４は、基体部３に対して左右の傾斜位置４ａ、４ｂの間で、任意の位置に回動され、その位置において位置決めされることができる。この位置決めは、図３、７、８に示すように、弾性片１３の突起５３が回動軸部６１の凹凸部６５の凹部に入り込むことにより維持される。そして、左右の傾斜位置４ａ、４ｂの間における回動ヘッド４の任意の位置への配置は、突起５３が凸部を乗り越える時の押圧力に抗して、回動軸部６１を、回動軸２１を中心に回動することにより容易に行われる。このように回動ヘッド４が、左右の傾斜位置４ａ、４ｂの間において回動可能となっているので、湯水を、シャワー吐水口１０ｂ又はストレート吐水口１０ｃから帯状の吐水可能域の任意の位置に吐水することができる。なお、本実施形態における左右の傾斜位置４ａと傾斜位置４ｂとがなす角度は１００度となっている。
【００３２】
また、装着基部５に対して本体部６を吐水方向２０を回動中心として回動させれば、吐水可能域は、帯状から円形状へとその範囲が広げられることができる。
従って、上記実施形態によれば、以下のような効果を得ることができる。
【００３３】
（１）上記実施形態では、回動ヘッド４を、蛇口１８の吐水方向２０に直交する方向の回動軸２１を中心に回動可能に基体部３に支持されるようにした。このため、回動ヘッド４の吐水方向を変えることにより得られる吐水可能域を、蛇口１８の吐水方向２０を含む広い範囲の帯状面とすることができる。
【００３４】
（２）上記実施形態では、基体部３に備えられた流路変更部１１に回動ヘッド４の回動軸部６１を回動可能に継合して、流路変更部１１内の流路１９ａと回動ヘッド４内の流路１９ｂとが、回動軸２１に沿った方向で連結されるようにした。このため、回動ヘッド４を回動した任意の位置において、蛇口１８から回動ヘッド４へと湯水を導くことができる。
【００３５】
（３）上記実施形態では、弾性片１３の突起５３が回動軸部６１の凹凸部６５の凹部に入り込むことにより、回動軸部６１が回動された位置で位置決めされるようにした。このため、回動した回動ヘッド４を、凹部のピッチに応じた任意の位置で位置決めすることができる。
【００３６】
（４）上記実施形態では、装着基部５に対して本体部６が回動可能に支持されるようにした。このため、回動ヘッド４を回動軸２１を中心に回動させると共に、本体部６を回動させることにより、回動ヘッド４の吐水可能域を帯状から円形状へと拡大することができる。
【００３７】
（第２の実施形態）
次に、本発明を具体化した第２実施形態を、第１実施形態と異なる部分を中心に図１０を用いて説明する。
【００３８】
本実施形態の回動ヘッド８０は、第１実施形態の回動軸部６１と、シャワー用の吐水ヘッド８２とが連結管部８１を介して一体に形成されている。この連結管部８１の長さを適宜の長さとした場合、例えば、回動ヘッド８０を回動軸２１を中心に１８０度の範囲で回動しても、吐水ヘッド８２が本体部６に接触することが防止される。
【００３９】
そして、この第２実施形態においては、第１の実施形態における効果に加えて、以下の効果を得ることができる。
（５）上記実施形態では、適宜長さの連結管部８１を介して、回動軸部６１と吐水ヘッド８２とを一体化して回動ヘッド８０とした。このため、回動軸２１を中心とする回動ヘッド８０の回動域を大きくすることができる。
【００４０】
（変更例）
なお、上記実施形態は、次のように変更して具体化することも可能である。
・  第１実施形態のヘッド保持部９の構成を、回動軸部６１と保持部６２とがわずかな長さの結合部を介して結合した形としたが、第２実施形態の連結管部８１のような適宜長さの結合部を介して結合するようにすること。
・  第１実施形態の吐水ヘッド１０をストレート吐水及びシャワー吐水の切り替え可能としたが、シャワー専用又はストレート吐水専用とすること。
・  第２実施形態の吐水ヘッド８２をシャワー専用としたが、ストレート吐水専用又はストレート吐水及びシャワー吐水の切り替え可能とすること。
・  弾性片１３の円板部５１の２ヶ所に突起５３を形成したが、１ヶ所のみに突起５３を形成すること。
【００４１】
さらに、上記実施形態より把握できる技術的思想について、それらの効果と共に以下に記載する。
（イ）前記回動ヘッドは、ヘッド保持部と、そのヘッド保持部に保持される吐水ヘッドとよりなることを特徴とする請求項１に記載の吐水ヘッド。このように構成した場合、ヘッド保持部に対して、吐水状態が異なる複数種類の吐水ヘッドを適宜選択して取り付けることを容易に行うことができる。
（ロ）前記本体部は、一対の半体が合体して形成されたことを特徴とする請求項５に記載の吐水装置。このように構成した場合、簡単な構造で、装着基部に対して本体部を回動可能に支持させることができる。
【符号の説明】
【００４２】
１…吐水装置、２…アダプター、３…基体部、４，８０…回動ヘッド、５…装着基部、６…本体部、１１…流路変更部、１３…弾性片、１６…パッキン、１８…蛇口、１９ａ，１９ｂ…流路、２０…吐水方向、２１…回動軸、５３…突起、６１…回動軸部、６３…凹部、６５…凹凸部。
【図１】
2011111846.tif 000003
【図２】
2011111846.tif 000004
【図３】
2011111846.tif 000005
【図４】
2011111846.tif 000006
【図５】
2011111846.tif 000007
【図６】
2011111846.tif 000008
【図７】
2011111846.tif 000009
【図８】
2011111846.tif 000010
【図９】
2011111846.tif 000011
【図１０】
2011111846.tif 000012